(57)【特許請求の範囲】
【請求項１】
伸縮性を有した生地から成る本体を有し、前記本体を形成する生地に、伸縮性を有した第１ポケット布と伸縮性を有した第２ポケット布を縫い合わせて収容物を収容するポケットが設けられ、
前記第１ポケット布の側縁部と、前記第２ポケット布の側縁部が互いに重ねられ、前記各側縁部が重なる幅は、一方の端部の幅よりも他方の端部の幅が広くなっており、前記第１ポケット布の前記側縁部と前記第２ポケット布の前記側縁部のなす角度は、２０°〜６０°であり、前記第１ポケット布と前記第２ポケット布が重ねられた部分が前記収容物を出し入れするための開口部となり、
前記第１ポケット布と前記第２ポケット布は、前記開口部を形成する前記側縁部以外の周縁部が互いに連続して一周して前記生地に縫合されていることを特徴とする衣服。
【請求項２】
前記収容物は、緩衝機能を有するパッドである請求項１記載の衣服。
【請求項３】
前記生地の裏面に前記ポケットが設けられ、前記ポケットの中に緩衝機能を有する前記パッドが入れられてスポーツに用いられる請求項２記載の衣服。
【請求項４】
前記ポケットは一方向に長い形状であり、前記開口部を形成する前記一対の側縁部は、前記ポケットの長手方向に交差して設けられ、前記開口部は前記長手方向の一方の端部に近い位置に設けられている請求項１または２記載の衣服。
【請求項５】
前記第１ポケット布は、上端に前記開口部を形成する側縁部が位置し、左右と下端に位置する周縁部が前記生地に縫合され、前記第２ポケット布は、前記第１ポケット布の上方に設けられ、前記第１ポケット布の前記開口部を覆い、前記第１ポケット布の外側に位置して下端に位置する側縁部を除いて前記生地に縫い付けられている請求項１または２記載の衣服。
【発明の詳細な説明】
【技術分野】
【０００１】
この発明は、収容物を入れるポケットを有する衣服に関する。
【背景技術】
【０００２】
従来、衣服の任意の部分にポケットを付け、ポケットに保護パッドを入れて保護機能を付与するものがある。例えば、特許文献１の膝保温部を有する衣類は、下肢を覆う本体布と、膝に当たる位置に取り付けるポケットと、該ポケット部に出し入れ自在に取り付けられるクッション性を有する保温パットを備えている。ポケットは伸縮性及び保温性を有する柔らかい素材で設けられている。本体布にポケットの周縁部を縫着して取り付けられ、周縁部の一部を縫着せずに開口し、保温パッドの出し入れ口とする。
【０００３】
また、特許文献２のスキーパンツは、裾部に衝撃吸収体を取り付けるポケットが設けられている。ポケットは、ポケット布とスキーパンツの裏生地とで構成され、そのポケットの中に矩形形状の衝撃吸収体が収納されている。衝撃吸収体がポケットから抜け落ちるのを防止するため、ポケットの開口部を塞ぐように蓋布が設けられている。ポケット布と蓋布の周縁部は、スキーパンツの裏生地に互いに連続して一周して縫着されている。
【先行技術文献】
【特許文献】
【０００４】
【特許文献１】特開２００３−７３９０９号公報
【特許文献２】特許第５７１３５５６号公報
【発明の概要】
【発明が解決しようとする課題】
【０００５】
上記背景技術の特許文献１の衣服のポケットは、出し入れ口に蓋布が設けられていないため、衣服の着用中の動作時に、保温パッドが落ちる恐れがある。一方、特許文献２のスキーパンツは、ポケットの開口部を塞ぐように蓋布が設けられているため、衝撃吸収体は落ちる恐れが無い。しかし、蓋布の周縁部が、開口部を除いて裏生地に縫着されているため、衝撃吸収体を出し入れする操作がやりにくいものである。しかも、ポケット布と蓋布の重なりを少なくすると、衝撃吸収体は入れやすいが、落ちやすいという問題がある。他方、ポケット布と蓋布の重なりを大きくすると、衝撃吸収体は出し入れがしにくくなる。
【０００６】
この発明は、上記背景技術の問題点に鑑みてなされたものであり、簡単な構造で収容物を容易に出し入れすることができ、不用意に落ちることを防いで確実に収容することができるポケットを有する衣服を提供することを目的とする。
【課題を解決するための手段】
【０００７】
本発明は、伸縮性を有した生地から成る本体を有し、前記本体を形成する生地に、伸縮性を有した第１ポケット布と伸縮性を有した第２ポケット布を縫い合わせて収容物を収容するポケットが設けられ、前記第１ポケット布の側縁部と、前記第２ポケット布の側縁部が互いに重ねられ、前記各側縁部が重なる幅は、一方の端部の幅よりも他方の端部の幅が広くなっており、前記開口部の、前記第１ポケット布の前記側縁部と前記第２ポケット布の前記側縁部のなす角度は、２０°〜６０°であり、前記第１ポケット布と前記第２ポケット布が重ねられた部分が前記収容物を出し入れするための開口部となる衣服である。
【０００８】
前記開口部を形成する、前記第１ポケット布の側縁部と、前記第２ポケット布の側縁部の角度は、より好ましくは３０°〜４０°である。
【０００９】
前記収容物は、緩衝機能を有するパッドや、種々の携行物、保管物、その他被保護物等である。特に、前記生地の裏面に前記ポケットが設けられ、前記ポケットの中に緩衝機能を有する前記パッドが入れられてスポーツに用いられる衣服である。
【００１０】
前記ポケットは一方向に長い形状であり、前記開口部を形成する前記一対の側縁部は、前記ポケットの長手方向に交差して設けられ、前記開口部は前記長手方向の一方の端部に近い位置に設けられている。
【００１１】
前記第１ポケット布と、前記第２ポケット布は、前記開口部を形成する前記側縁部以外の周縁部が互いに連続して一周して前記生地に縫合されている。
【００１２】
前記第１ポケット布は、上端に前記開口部を形成する側縁部が位置し、左右と下端に位置する周縁部が前記生地に縫合され、前記第２ポケット布は、前記第１ポケット布の上方に設けられ、前記第１ポケット布の前記開口部を覆い、前記第１ポケット布の外側に位置して下端に位置する側縁部を除いて前記生地に縫い付けられている。
【発明の効果】
【００１３】
本発明の衣服は、簡単な構造で収容物を容易に出し入れすることができるとともに、収容物が不用意に落ちることを防いで確実に収容することができるポケットを有するものである。特に、運動をしたり衝撃を受けたりしても収容物が落ちることがなく、特別に保持のための部材を有しないので、スポーツ用の衣服に好適に利用することができ、ポケットに緩衝機能を有するパッドを収容することにより、緩衝機能等を容易且つ確実に付与することができる。また、収容物を容易に交換することができ、メンテナンスや、機能性の調節が容易である。
【図面の簡単な説明】
【００１４】
【図１】この発明の第一実施形態の衣服の袖部を示す正面図である。
【図２】この発明の第一実施形態の衣服に設けられる一つのポケットの第１ポケット布と第２ポケット布を示す正面図である。
【図３】この発明の第一実施形態の衣服に設けられる他のポケットの第１ポケット布と第２ポケット布を示す正面図である。
【図４】この発明の第一実施形態の衣服の前身頃を示す正面図である。
【図５】この発明の第一実施形態の衣服の脇身頃を示す正面図である。
【図６】この発明の第一実施形態の衣服の正面図である。
【図７】この発明の第二実施形態の衣服のポケットを示す正面図である。
【図８】この発明の第二実施形態の衣服のポケットの第２ポケット布の両端を縫い付ける前の状態を示す正面図である。
【発明を実施するための形態】
【００１５】
以下、この発明の実施形態について図面に基づいて説明する。図１〜図６はこの発明の第一実施形態を示すもので、この実施形態の衣服１０は、図６に示すようにラグビーの練習に使用するもので、衝撃吸収パッドを取り付けたスポーツウエアであり、上半身に着用するものである。衣服１０は伸縮性を有する生地１１で設けられ、着用者の上半身を覆う前身頃１２、後見頃、脇身頃１４、袖部１６で作られている。前身頃１２、脇身頃１４、袖部１６には、種々の形状にカットされた板状の衝撃吸収用のパッド１８が所定の位置に取り付けられている。パッド１８は、衣服１０の裏面に取り付けられたポケット２０，２８，３４，３６，４８に各々入れられている。
【００１６】
ここで、ポケット２０，２８について、図１〜図３に基づいて説明する。図１は袖部１６を裏面から見たものであり、袖部１６の形状にカットされた生地１１の裏面に、ポケット２０，２８が取り付けられている。
【００１７】
ポケット２０は、変形した楕円形状であり、着用者の肩に当接する位置に設けられている。ポケット２０は図２に示すように、ポケット２０を、長手方向に交差する直線の切断線で２分割した形状の第１ポケット布２２と、第２ポケット布２４で設けられ、第１ポケット布２２と第２ポケット布２４は、伸縮性を有する生地で作られている。
【００１８】
ポケット２０は、第１ポケット布２２と第２ポケット布２４を、側縁部２２ａ，２４ａを互いに重ね合わせ、互いに連続する周縁部２２ｂ，２４ｂを一周して縫い糸２６で生地１１に縫合して、形成されている。生地１１に縫合する縫目の種類は、平三本飾りステッチ等、自由に選択可能である。ポケット２０は、第１ポケット布２２と第２ポケット布２４が重なり合う部分、つまり側縁部２２ａ，２４ａが重ねられた部分が開口部２７である。開口部２７は、ポケット２０の長手方向の、図１に示す左の端部に近い位置に設けられている。
【００１９】
開口部２７では、側縁部２２ａが側縁部２４ａの外側に位置して重ねられ、側縁部２２ａと側縁部２４ａのなす角度は、鋭角である。より好ましくは、側縁部２２ａと側縁部２４ａの角度は、例えば２０°〜６０°程度であり、３０°〜４０°が最適である。側縁部２２ａ，２４ａが重なる幅は、図１において上端部の幅Ａよりも下端部の幅Ｂが広くなっている。
【００２０】
次に、ポケット２８について説明する。ポケット２８は変形した略矩形で２個あり、ポケット２０よりも下で、着用者の腕に当接する位置に設けられ、袖部１６の袖口１７に平行な方向に長く設けられている。ポケット２８は、図３に示すように、ポケット２８を長手方向に交差して２分割した形状の第１ポケット布３０と、第２ポケット布３２で作られている。
【００２１】
ポケット２８は、第１ポケット布３０と第２ポケット布３２を、側縁部３０ａ，３２ａを互いに重ね合わせ、側縁部３０ａ，３２ａに交差する２つの長方形を描きながら、縫い糸２６で生地１１に縫合して、形成されている。２つの長方形は長手方向が側縁部３０ａに対して略直角で、ほぼ同じ幅を有し、長手方向の長さは袖口１７に近いほうが少し短い。ポケット２８は、第１ポケット布３０と第２ポケット布３２が隣接する部分、つまり側縁部３０ａ，３２ａが重ねられた部分が開口部３３である。開口部３３は、ポケット２８の長手方向の、図１に示す左の端部に近い位置に設けられている。
【００２２】
側縁部３０ａは、２つの長方形の長辺に対して直角に位置する直線で形成されている。側縁部３２ａは、両端部は側縁部３０ａに対して略平行な直線であり、中心付近は、側縁部３０ａとの重なりが大きくなるように右側に突出する円弧形状に設けられている。開口部３３では、各々の長方形において、側縁部３０ａと、側縁部３２ａの接線のなす角度は、鋭角である。より好ましくは、側縁部３０ａと、側縁部３２ａの接線の角度は、例えば２０°〜６０°程度であり、３０°〜４０°が最適である。側縁部３０ａ，３２ａが重なる幅は、図１において、側縁部３２ａの端部付近の幅Ｃよりも、側縁部３２ａの中心付近の幅Ｄが、広くなっている。
【００２３】
次に、ポケット３４，３６について、図４に基づいて説明する。図４は前身頃１２を裏面から見たものであり、前身頃１２の形状にカットされた生地１１の裏面に、ポケット３４，３６が取り付けられている。
【００２４】
ポケット３４は左右方向が少し長い楕円形状であり、着用者の胸の中心に当接する位置に設けられている。ポケット３６は、ポケット３４の少し下方に位置し、ポケット３４よりも少し小さい楕円形状である。ポケット３４は、第１ポケット布４０と、第２ポケット布４２で設けられ、ポケット３６は、第２ポケット布４２と第３ポケット布４４で設けられている。第１ポケット布４０、第２ポケット布４２、第３ポケット布４４は、前身頃１２を水平方向の２本の切断線で３分割した形状である。第１ポケット布４０は前身頃１２の上部、第２ポケット布４２は中部、第３ポケット布４４は下部に位置するものであり、生地１１の裏面に重ねられて２枚構造となる。
【００２５】
第１ポケット布４０の下端縁部４０ａは、前身頃１２の胸の中心付近を横断する直線であり、図４において左側が少し高くなるように傾斜している。第１ポケット布４０の、下端縁部４０ａ以外の周縁部は、前身頃１２の上部の周縁部と同じ形状である。
【００２６】
第２ポケット布４２の下端縁部４２ａは、第１ポケット布４０の下端縁部４０ａより低い位置で腹部の中心付近を横断する直線であり、下端縁部４０ａとほぼ平行な直線であり、左側が少し高くなるように傾斜している。第２ポケット布４２の上端縁部４２ｂは、下端縁部４０ａの裏側、つまり第１ポケット布４０と生地１１の間に入れられるものであり、下端縁部４０ａと所定の幅で重なりを有する位置に設けられている。上端縁部４２ｂの両端部付近は下端縁部４０ａに対して平行な直線である。上端縁部４２ｂの中央部分は下端縁部４０ａとの重なりの幅が広くなるように上方に突出し、左側縁部は円弧形状で、右側縁部は直線で、扇形状になっている。第２ポケット布４２の、下端縁部４２ａと上端縁部４２ｂ以外の一対の側縁部は前身頃１２の中部の側縁部と同じ形状である。
【００２７】
第３ポケット布４４の上端縁部４４ａは、第２ポケット布４２の下端縁部４２ａの裏側、つまり第２ポケット布４２と生地１１の間に入れられるものであり、下端縁部４２ａと所定の幅で重なりを有する位置に設けられている。上端縁部４４ａの両端部付近は下端縁部４２ａに対して平行な直線である。上端縁部４４ａの中央部分は下端縁部４２ａとの重なりの幅が広くなるように上方に突出し、左側縁部は円弧形状で、右側縁部は直線で、扇形状になっている。第３ポケット布４４の、上端縁部４４ａ以外の周縁部は、前身頃１２の下部の周縁部と同じ形状である。
【００２８】
ポケット３４は、第１ポケット布４０の下端縁部４０ａと、第２ポケット布４２の上端縁部４２ｂに跨って設けられ、生地１１、第１ポケット布４０、第２ポケット布４２を、楕円形状に一周して縫い糸２６で縫合されて設けられている。ポケット３４は、第１ポケット布４０と第２ポケット布４２が隣接する部分、つまり下端縁部４０ａと上端縁部４２ｂが重ねられた部分が開口部３５である。
【００２９】
開口部３５では、下端縁部４０ａと上端縁部４２ｂの角度は、鋭角である。下端縁部４０ａと上端縁部４２ｂが重なる幅は、図４において右端部の幅Ｅよりも左端部の幅Ｆが広くなっている。なお、縫い糸２６は上端縁部４２ｂの中央部分の円弧形状の少し内側に沿って設けられているため、ポケット３４には上端縁部４２ｂの直線部分が位置する。
【００３０】
ポケット３６は、第２ポケット布４２の下端縁部４２ａと第３ポケット布４４の上端縁部４４ａに跨って設けられ、生地１１、第２ポケット布４２、第３ポケット布４４を、楕円形状に一周して縫い糸２６で縫合されて設けられている。ポケット３６は、第２ポケット布４２と第３ポケット布４４が隣接する部分、つまり下端縁部４２ａと上端縁部４４ａが重ねられた部分が開口部３７である。
【００３１】
開口部３７では、下端縁部４２ａと上端縁部４４ａのなす角度は、鋭角である。下端縁部４２ａと上端縁部４４ａが重なる幅は、図４において右端部の幅Ｇよりも左端部の幅Ｈが広くなっている。なお、縫い糸２６は上端縁部４４ａの中央部分の円弧形状の少し内側に沿って設けられているため、ポケット３４には上端縁部４２ｂの直線部分が位置する。
【００３２】
ポケット３４の上方には、ポケット３４から放射状にひろがる７本の直線を縫い糸２６で縫って、６つのポケット４６が設けられている。ポケット４６には開口部が設けられておらず、生地１１と第１ポケット布４０、第２ポケット布４２の周縁部を縫い合わせた時に閉鎖するものであり、生地１１と第１ポケット布４０、第２ポケット布４２の周縁部を縫い合わせる前に各々パッド１８が入れられる。
【００３３】
次に、ポケット４８について図５に基づいて説明する。図５は脇身頃１４を裏面から見たものであり、脇身頃１４の形状にカットされた生地１１の裏面に、ポケット４８が取り付けられている。ポケット４８は、第１ポケット布５０と第２ポケット布５２で設けられている。第１ポケット布５０の側縁部５０ａと、第２ポケット布５２の側縁部５２ａが重ねられた部分が、開口部５３となる。側縁部５０ａと側縁部５２ａの角度は、鋭角である。
【００３４】
次に、各ポケット２０，２８，３４，３６，４８の使用方法について、以下に説明する。各ポケット２０，２８，３４，３６，４８には、パッド１８が収容され、生地１１に取り付けられている。ポケット２０には、変形した楕円形のパッド１８が入れられている。ポケット２０にパッド１８を入れる方法は、まず第１ポケット布２２の側縁部２２ａの裏面にパッド１８一方の端部を差し込み、奥まで入れ、次に内側に位置する側縁部２４ａを引き出して、パッド１８の他方の端部にかぶせ、再び側縁部２２ａの裏面に重ねる。側縁部２２ａ，２４ａは生地１１の伸縮性により自然と閉じる。パッド１８に側縁部２４ａをかぶせるときは、側縁部２４ａと側縁部２２ａの重なる幅Ａが上端部で短いため、側縁部２４ａの上端部に指を入れて簡単に引き出し、パッド１８の端部にかける。下端部の幅Ｂは長いため、パッド１８が不用意に開口部２７から落ちることを防ぐ。下端部の幅Ｂは長くてパッド１８にかけにくいが、上端部をパッド１８の端部にかけた後は容易にパッド１８にかけることができる。これによりパッド１８は、一方の端部を第１ポケット布２２に覆われ、他方の端部を第２ポケット布２４に覆われ、開口部２７は側縁部２２ａと側縁部２４ａが重ねられて閉鎖し、確実に収容保持される。
【００３５】
ポケット２８には、角部が各々面取りされた長方形のパッド１８が２個入れられている。パッド１８を入れる方法は、ポケット２０と同様であり、まず第１ポケット布３０の側縁部３０ａの裏面にパッド１８一方の端部を差し込み、奥まで入れ、次に側縁部３２ａを引き出して、パッド１８の他方の端部にかぶせ、再び側縁部３０ａの裏面に重ねる。パッド１８に側縁部３２ａをかぶせるときは、側縁部３２ａと側縁部３０ａの重なる幅Ｃが各側縁部で短いため、側縁部３２ａの側縁部に指を入れて簡単に引き出し、パッド１８の端部にかける。中央側の幅Ｄは長いため、パッド１８が不用意に開口部３３から落ちることを防ぐ。これによりパッド１８は、一方の端部を第１ポケット布３０に覆われ、他方の端部を第２ポケット布３２に覆われ、開口部３３は側縁部３０ａと側縁部３２ａが重ねられて閉鎖し、確実に収容される。
【００３６】
ポケット３４，３６，４８には、略楕円形のパッド１８が入れられている。パッド１８を入れる方法は、ポケット２０，２８と同様である。
【００３７】
次に、衣服１０の製造方法について説明する。前身頃１２、脇身頃１４、袖部１６にそれぞれポケット２０，２８，３４，３６，４６，４８を形成する。開口部のないポケット４６は比較的小さいので、各々対応した小さいパッド１８をあらかじめ入れ、従来と同様にパッド１８を入れた状態で周囲を縫合し、ポケット４６を形成する。次に、前身頃１２、脇身頃１４、袖部１６、後見頃を縫う。この後、残りのポケット２０，２８，３４，３６，４８に、パッド１８を入れ、衣服１０が製造される。なお、ポケット２０は袖部１６と後身頃に跨って取り付けられるため、袖部１６と後身頃を縫ってからポケット２０を取り付ける。ポケットを付ける工程と、各パーツを縫う工程の順番は、適宜変更可能である。
【００３８】
この実施形態の衣服１０によれば、簡単な構造でパッド１８を容易に出し入れすることができ、不用意に落ちることを防いで確実に収容することができるポケット２０，２８，３４，３６，４８を有するものである。パッド１８により高い緩衝機能等を有し、運動の際に受ける衝撃から着用者の身体を保護することができる。各開口部２７の、側縁部２２ａと側縁部２４ａの重なりが小さい部分を有するため、重なりが小さい部分から内側の側縁部２４ａを容易に引き出してパッド１８にかけ、簡単に収容することができる。収容が簡単であり、容易に交換することもでき、メンテナンスや、緩衝機能や動きやすさの調節を行うことができる。激しい運動をしたり衝撃を受けたりして、各開口部２７の、側縁部２２ａと側縁部２４ａが伸縮しても、側縁部２２ａと側縁部２４ａの重なりが大きい部分を有するため、パッド１８が落ちることがなく、激しい動きに耐えることができる。
【００３９】
衣服１０を製造する際は、パッド１８を後で各ポケット２０に入れるため、パッド１８が無い平坦な状態で、各ポケット２０を縫い糸２６で生地１１に縫合することができ、短時間できれいに仕上げることができる。従来のように袖部１６等にパッド１８を入れた状態では、パッド１８の嵩高が支障となり前身頃１２等に縫い合わせることが困難であるが、袖部１６が平坦な状態で縫い合わせることができ、パッド１８の厚みを考慮せずに容易に縫合することができる。これにより、縫い糸２６のステッチの種類や幅を自由に選択することができ、生地１１と、第１ポケット布２２、第２ポケット布２４等がずれることがなく、パッド１８の輪郭に隙間なく沿う縫い目で、綺麗に各ポケット２０を設けることができる。また、縫製に熟練が不要で、生産効率を高めることができる。各ポケット２０にパッド１８を入れる作業は、縫製工場以外で行うことができ、作業を分担して効率を上げることができる。パッド１８の厚みを適宜選択して入れ、製品の種類や用途を増やすことができる。
【００４０】
次にこの発明の第二実施形態について図７、図８に基づいて説明する。この実施形態の衣服５４は、上着やズボン等、どのようなものでもよく、スポーツ用、作業用等の用途を限定しない。衣服５４には、所望の位置にポケット５６が設けられている。ポケット５６は、収容物を入れる矩形の第１ポケット布５８が設けられ、第１ポケット布５８の上端に位置する側縁部５８ａは開口部５９となり、左右と下端に位置するコの字形の周縁部５８ｂは縫い糸２６で衣服５４の生地に縫合されている。
【００４１】
第１ポケット布５８の上方には、フラップとなる第２ポケット布６０が設けられている。第２ポケット布６０は、互いに平行な一対の長辺と、互いに平行な一対の短辺で形成された平行四辺形であり、一対の長辺が第１ポケット布５８の側縁部５８ａに対して鋭角となるように位置している。角度は、例えば１０°〜５０°程度であり、デザインや機能に合わせて適宜設定可能である。一対の長辺のうち、下端に位置する側縁部６０ａは、第１ポケット布５８の側縁部５８ａの外側に重ねられ、上端に位置する側縁部６０ｂ、及び両端の短辺は、第１ポケット布５８の外側に位置し、縫い糸２６でコの字形に衣服５４の生地に縫合されている。一対の長辺である側縁部６０ａ，６０ｂは、鋭角に位置する第１ポケット布５８の側縁部５８ａよりも少し長く設けられている。一対の短辺はそれより短く、第１ポケット布５８の側縁部５８ａに連続する一対の周縁部５８ｂに対して平行である。側縁部５８ａと側縁部６０ａが重なる幅は、図７において右端部の幅Ｉよりも左端部のＪが広くなっている。
【００４２】
ポケット５６に収容物を入れる時は、第２ポケット布６０の側縁部６０ａを上方へめくり、第１ポケット布５８の側縁部５８ａを露出させて、側縁部５８ａから収容物を第１ポケット布５８と生地の間に入れ、第２ポケット布６０を戻して側縁部５８ａを覆い、収容する。第１ポケット布５８、第２ポケット布６０は伸縮性を有する生地でも良く、伸縮性を有しない生地でもよい。
【００４３】
この実施形態の衣服５４によれば、上記実施の形態と同様の効果を有するものである。第１ポケット布５８の側縁部５８ａは第２ポケット布６０に覆われて、収容物が不用意に落ちることを防いで確実に収容することができる。第１ポケット布５８に収容物を出し入れする時は、右端部で側縁部５８ａと側縁部６０ａの重なる幅Ｉが小さいことから、重なりが小さい右端部から簡単に出し入れすることができる。左端部では幅Ｊは大きいため、収容物が不用意に側縁部５８ａと側縁部６０ａの間の開口部５９から落ちることを防ぐ。収容物が落下する恐れが無いため、第２ポケット布６０がめくれないように係止する面ファスナー等の係止手段が不要となる。
【００４４】
なお、この発明の衣服は上記実施の形態に限定されず、ポケットの形状や大きさ等は、収容物の形状や大きさ、デザインに合わせて自由に変更可能である。ポケットの開口部の側縁部は直線でも曲線でもよい。ポケットに使用する第１ポケット布と第２ポケット布は、素材や伸縮性の有無等、自由に選択可能である。ポケットの開口部の位置は、自由に変更可能であるが、収容物が一方向に長い形状の場合は、長手方向の一方の端部の近くに設けられるとよい。衣服は、上着やズボン、ベスト等何でもよく、目的も作業用、防寒用、子供用、高齢者用等、何でもよい。
【符号の説明】
【００４５】
１０，５４  衣服
１１  生地
１８  パッド
２０，２８，３４，３６，４８，５６  ポケット
２２，３０，４０，５０，５８  第１ポケット布
２２ａ，２４ａ，３０ａ，３２ａ，４０ａ，４２ｂ，５０ａ，５２ａ，５８ａ，６０ａ  側縁部
２２ｂ，２４ｂ，３０ｂ，３２ｂ  周縁部
２４，３２，４２，５２，６０  第２ポケット布
２７，３３，３５，３７，５３，５９  開口部
【図１】
0006738516.tif 000002
【図２】
0006738516.tif 000003
【図３】
0006738516.tif 000004
【図４】
0006738516.tif 000005
【図５】
0006738516.tif 000006
【図６】
0006738516.tif 000007
【図７】
0006738516.tif 000008
【図８】
0006738516.tif 000009